(57)【要約】【課題】  バックセットを小さくすることが可能で奥行の少ない縦框を有する引戸にも適用することが可能であるばかりか、施解錠動作も円滑で摺動釦の移動も軽やかとなり、加えて構成部材も少なくてよく、多量生産に適し、更に、バックセット量の調節も可能で異なる引手位置にも対応可能であり、また、取り付け時の芯ずれや切欠のミスがあっても対応可能とする。【解決手段】  取り付ける引戸の縦框内に形成される空間に収装可能な箱状の錠ケース２と、錠ケース２の互いに対向して配置される側板２２,２２間に架設される回転軸３１に中央屈曲部３２が固着されて一端に錠ケース２の前板に形成した出没溝２３から出没自在な鍵部３３を形成するとともにもう一端にＵ形状の連結溝３４を形成したベルクランク状の鎌部材３と、錠ケース２内にそのの長さ方向に摺動可能に収装されるとともに鎌部材３側の端部に鎌部材３の連結溝に嵌合する連結軸を有し且つ錠ケース２の互いに対向して配置される側板２２,２２間に長さ方向に形成された摺動溝に連通して形成される摺動軸５の挿通孔を有する摺動部材４とを備えた。【選択図】      図２
2006104694.tif 000002
【特許請求の範囲】
【請求項１】
取り付ける引戸の縦框内に形成される空間に収装可能な箱状の錠ケースと、前記錠ケースの互いに対向して配置される側板間に架設される回転軸に中央屈曲部が固着されて作用腕の端部に前記錠ケースの前板に形成した出没溝から出没自在な鍵部を形成するベルクランク状の鎌部材と、前記錠ケース内に前記ケースの長さ方向に摺動可能に収装されるとともに前記鎌部材側の端部が前記鎌部材の駆動腕の端部にスライド可能および回転可能に係着され且つ前記錠ケースの互いに対向して配置される側板間に長さ方向に形成された摺動溝に連通して形成される摺動軸の挿通孔を有する摺動部材と、を備えたことを特徴とする鎌錠。
【請求項２】
前記錠ケースと摺動部材との間に摺動部材の位置決め用のばね部材が設けられている請求項１記載の鎌錠。
【請求項３】
前記錠ケースの互いに対向して配置される側板間に形成されている摺動溝および前記摺動部材に形成されている挿通孔が幅方向に向かって前記摺動軸の軸径よりも広く形成されている請求項１または２記載の鎌錠。
【請求項４】
前記摺動部材がコ字形を呈する板材により形成されている請求項１，２または３記載の鎌錠。
【請求項５】
前記錠ケース内に前記摺動部材の摺動を規制して鍵部を前記錠ケースの前板からの突出を阻止するトリガーが前記錠ケースの前板から出没自由に且つ突出方向に付勢した状態で付設されている請求項１，２，３または４記載の鎌錠。
【発明の詳細な説明】
【技術分野】
【０００１】
本発明は、引戸用の鎌錠、殊に、框扉の縦框部分に収装可能で摺動機構により鎌を出没させる構成の引戸用の鎌錠に関するものである。
【背景技術】
【０００２】
従来、ガラスサッシュ戸などのような框戸状の引戸が使用されており、これらの引戸用の鎌錠において特に縦框内に収装させるものとしてスライダ機構を有する施解錠装置を用いたものが使用されており、例えば、実開昭５２−１０１６９３号公報、実開昭５９−１０２７６８号公報、実開平７−３２１４３号公報などに提示されている。
【０００３】
ところが、前記公報に提示されている引戸用の鎌錠は、何れも回転動作によりケースから出没させる鎌を支える支点の部分を出没方向に移動させる動作を加えることにより行うものである。
【０００４】
従って、バックセットを小さくすることが困難であり、また、施解錠のときに鎌錠が支軸を中心として回転するだけでなく主として出没方向に移動する構成であることから施解錠動作も滑らかでなくスライダ釦の移動も軽やかとならず、加えて構造も複雑となり、更に、バックセットが一定であり、メーカー各社により異なる場合にはそれぞれに対応したものを揃える必要があり経済的負担が大きかった。更に、縦框に取り付ける際には芯ずれや切欠ミスなどがあった場合には取付が困難であり、熟練を要する。
【０００５】
【特許文献１】実開昭５２−１０１６９３号公報
【特許文献２】実開昭５９−１０２７６８号公報
【特許文献３】特開２００１−３５３７１４号公報
【発明の開示】
【発明が解決しようとする課題】
【０００６】
本発明が解決しようとする課題は、バックセットを小さくすることが可能で奥行の少ない縦框を有する引戸にも適用することが可能であるばかりか、施解錠動作も円滑で摺動釦の移動も軽やかとなり、加えて構成部材も少なくてよく、多量生産に適し、更に、バックセット量の調節も可能で異なる引手位置にも対応可能であり、また、取り付け時の芯ずれや切欠のミスがあっても対応可能とすることとができる引戸用の鎌錠を提供するものである。
【課題を解決するための手段】
【０００７】
前記課題を解決するため、本発明である引戸用の鎌錠は、取り付ける引戸の縦框内に形成される空間に収装可能な箱状の錠ケースと、前記錠ケースの互いに対向して配置される側板間に架設される回転軸に中央屈曲部が固着されて作用腕の端部に前記錠ケースの前板に形成した出没溝から出没自在な鍵部を形成するベルクランク状の鎌部材と、前記錠ケース内に前記ケースの長さ方向に摺動可能に収装されるとともに前記鎌部材側の端部が前記鎌部材の駆動腕の端部にスライド可能および回転可能に係着され且つ前記錠ケースの互いに対向して配置される側板間に長さ方向に形成された摺動溝に連通して形成される摺動軸の挿通孔を有する摺動部材と、を備えたことを特徴とする。
【０００８】
摺動部材を摺動させることにより摺動部材の端部に摺動および回転可能に係着した鎌部材を回転駆動させて鎌部材の作用腕の端部に形成されている鍵部を、前記錠ケースの前板に形成した出没溝から出没させて施解錠させる。
【０００９】
また、前記錠ケースと摺動部材との間に摺動部材の位置決め用のばね部材が設けられている場合には前記鎌部材を施錠または解錠位置で保持させることができ、前記錠ケースの互いに対向して配置される側板間に形成されている摺動溝および前記摺動部材に形成されている挿通孔が幅方向に向かって前記摺動軸の軸径よりも広く形成されている場合には異なるバックセットの縦框を有する引戸に対応できる。
【００１０】
更に、前記摺動部材がコ字形を呈する板材により形成されている場合には取り付け時の芯ずれや切欠のミスがあっても対応可能とすることとができ、前記錠ケース内に前記摺動部材の摺動を規制して鍵部を前記錠ケースの前板からの突出を阻止するトリガーが前記錠ケースの前板から出没自由に且つ突出方向に付勢した状態で付設されている場合には、トリガーを付設することもできる。
【発明の効果】
【００１１】
本発明によれば、バックセットを小さくすることが可能で奥行の少ない縦框を有する引戸にも適用することが可能であるばかりか、施解錠動作も円滑で摺動釦の移動も軽やかとなり、加えて構成部材も少なくてよく、多量生産に適し、更に、バックセット量の調節も可能で異なる引手位置にも対応可能であり、また、取り付け時の芯ずれや切欠のミスがあっても対応可能とすることとができる。
【００１２】
【発明を実施するための最良の形態】
【００１３】
次に、本発明を実施するための最良の形態について説明する。
【００１４】
図１乃至図３は本発明の好ましい実施の形態を示すものであり、本発明である鎌錠１は、後述する引戸の縦框内に形成される空間に収装可能な縦長箱状の錠ケース２の互いに対向して配置される側板２１，２１間に架設される回転軸３１に鎌部材３が軸着されている。
【００１５】
この鎌部材３は全体がく字形のベルクランクを呈しており中央屈曲部３２において前記回転軸３１に軸着されて作用腕の端部に前記錠ケース２の前板２２に形成した出没溝２３から出没自在な鍵部３３を形成するとともに駆動腕の端部にＵ形状の係着溝３４が形成されている。
【００１６】
また、前記錠ケース２内には前記錠ケース２の長さ方向に摺動可能に摺動部材４が収装されている。この摺動部材４はコ字形を呈する板材により形成されて「形を呈する側板４１，４１間の鎌部材３側の端部に架設された前記鎌部材３の係着溝からなる係着部３４に摺動およびる回転可能に係着する係着軸からなる係着部４２を有し、摺動部材４を錠ケース２の長さ方向に摺動させることにより、ベルクランク状の鎌部材３を反復回動させて鍵部３３を図３に示すように錠ケース２の出没溝２３から突出するので突出時にラッチ状態を形成して例えば戸当りに配置した係止部（図示せず）との間に施錠を可能にし、図２に示すように没入時にはラッチ状態が解除されて解錠状態となる。
【００１７】
そして、前記錠ケース２は互いに対向して配置される側板２１，２１間に長さ方向に摺動溝２４，２４が形成され、摺動部材４に前記摺動溝２４，２４に連通して摺動軸５の挿通孔４３，４３を有している。
【００１８】
更に、  前記錠ケース２と摺動部材４との間に摺動部材４の摺動位置を鎌部材３における施錠状態と解錠状態とに保持させるための位置決め用の挟みばねからなるばね部材６が設けらているととともに、前記錠ケース２内に前記トリガー７が前記錠ケース２の前板２２から出没自由に且つコイルばね７１により突出方向に付勢した状態で付設されており、このトリガー７は基部の側方に設けられた掛止突起７２が前記摺動部材４の一方の側板４１に突設された掛止凹部４４に掛止して摺動部材４の摺動を規制し、鍵部３３を錠ケース２の前板２２から突出するのを阻止する。
【００１９】
図４乃至図５は本実施の形態である鎌錠１を框扉８のような奥行の少ない縦框８１内に形成される空間８２へ設置する場合の一例を示すものであり、鎌錠１は、縦框８１の内壁８３に形成された溝８５から縦框８１内に形成される空間８２内に挿入されて、錠ケース２の長手方向の両端に突設された環状の取付片２５，２５においてリング状のスペーサ９１，９１および前記鎌部材３の出没溝２３を形成した前板２２を介して縦框８１の前面側から取付けねじ９４，９４により固定される。
【００２０】
また、縦框８１の側壁８４，８４に形成された透窓８５，８５には長さ方向に往復動可能な摺動操作部片１０１を有する操作基板１０２，１０２が互いの間に架設した締め付けねじ１０４，１０４により嵌装されているとともに、前記摺動操作部片９１の内側に形成されている連結穴（図示せず）に前記摺動部材４を作動させるための挿通孔４３，４３および摺動軸５の摺動溝２４，２４に貫通させた摺動軸５の両端部がそれぞれ連結されている。
【００２１】
従って、縦框８１の両側壁８４，８４に配置されている操作基板１０２，１０２上の摺動操作部片１０１を長さ方向（本実施の形態では上下方向）に摺動させると、摺動軸５が摺動部材４を作動させて鎌部材３を回転させ、その先端に形成されている鎌部３３が縦框８１の前面に面一に配置された前板２２の出没溝２３から出没して施錠或いは解錠状態を形成することができる。
【００２２】
このように本実施の形態は、近頃多用されているアルミ製で奥行の少ない縦框８１を有する框扉などにもきわめて容易に内装することができるものであり、また、構成もシンプルで製造が容易で安価に提供できるばかりか操作性、耐久性にも優れている。
【００２３】
尚、本実施の形態では摺動部材４を板材を屈曲して形成したが、例えば適宜肉厚の硬質合成樹脂材により形成してもよく（図示せず）、また、本実施の形態では摺動部材４を錠ケース２に内接する形状としたため特にガイド部材を設ける必要がないが、摺動部材４を小型にした場合であっても錠ケース２の側板２１，２１に対向して形成した挿通孔４３，４３に挿入した摺動軸５がガイドの働きをするのできわめて円滑に往復動をさせることができる。
【００２４】
図６は前記実施の形態において、鎌部材３と摺動部材４との係着手段の異なる例を示すものであり、図６（ａ）は鎌部材３側の係着部３４が長孔状の係着孔であって摺動部材４側の係着部４２が前記係着部３４の長孔に係着する係着軸からなる例、図６（ｂ）は鎌部材３側の係着部３４が係着軸であって摺動部材４側の係着部４２が前記係着軸からなる係着部３４に係着する側板４１，４１に形成された係着溝である場合を示しているが、鎌部材３と摺動部材４とが摺動及び回転可能に係着されて摺動部材４を長さ方向に摺動させたときに、鎌部材３が反復回動させて図３に示すように鍵部３３を錠ケース２の出没溝２３から突出させてラッチ状態を形成し、図２に示すように没入時にはラッチ状態が解除されて解錠状態となればよく、前記実施の形態に示したものに限らず他の係着手段を用いてもよい。
【００２５】
図７は本発明の異なる実施の形態を示すのであり、全体の構成や使用方法などは前記図１乃至図６に示した実施の形態とほぼ同様であるが、前記摺動部材４の側板４１，４１に形成される摺動軸５の挿通孔４３，４３および錠ケース２の側板２１，２１に形成される摺動溝２４，２４の幅が摺動軸５の径よりも広く形成されている。
【００２６】
従って、１つの錠ケース２で挿通孔４３，４３および摺動溝２４，２４の形成幅の範囲において無段階のバックセットを有することになる。従って、従来のようにバックセットの異なる複数の錠ケースを用意する必要がなく、製造、保管などの面など経済的に有利である。
【００２７】
特に、縦框材の引手位置が各メーカーによって異なる場合であってもそれぞれに合致させた錠ケースを揃えておく必要がない。
【００２８】
更に、図７に示すように挿通孔４３，４３および摺動溝２４，２４の幅を広く形成したことにより、摺動軸５が前後方向に傾斜した状態でも組み付けが可能であることから、取り付け時の芯ずれ、切欠ミスがあっても動作が可能であり、必ずしも熟練者でなくても容易に取り付けることができる。
【００２９】
尚、前記実施の形態では摺動部材４を板材により形成したが、例えば適宜肉厚の硬質合成樹脂材により形成してもよく、また、前記実施の形態では摺動部材４を錠ケース２に内接する形状としたため特にガイド部材を設ける必要がないが、摺動部材４を小型にした場合であっても錠ケース２の側板２１，２１に対向して形成した挿通孔４３，４３に挿入した摺動軸５がガイドの働きを摺るのできわめて円滑に往復動をすることができる。
【図面の簡単な説明】
【００３０】
【図１】本発明の好ましい実施の形態を示す分解斜視図。
【図２】図１に示した実施の形態における解錠状態を示す側面図。
【図３】図１に示した実施の形態における施錠状態を示す側面図。
【図４】図１に示した実施の形態の取り付け状態を示す縦断面図。
【図５】図１に示した実施の形態の取り付け状態を示す異なる方向の縦断面図。
【図６】図１に示した実施の形態において異なる係着手段を示す説明図。
【図７】本発明の異なる実施の形態を示す分解斜視図。
【図８】図７に示した実施の形態における要部を示す拡大横断面図。
【符号の説明】
【００３１】
１  鎌錠、２  錠ケース、３  鎌部材、４  摺動部材、５  摺動軸、６  ばね部材、７ トリガー、２１  側板、２２  前板、２３  出没溝、３１  回転軸、３２  中央屈曲部、３３  鎌部、３４  係着部、４１  側板、４２  係着部、４３  挿通孔
【図１】
2006104694.tif 000003
【図２】
2006104694.tif 000004
【図３】
2006104694.tif 000005
【図４】
2006104694.tif 000006
【図５】
2006104694.tif 000007
【図６】
2006104694.tif 000008
【図７】
2006104694.tif 000009
【図８】
2006104694.tif 000010